(57)【要約】【課題】画像データの抽出基準となる画像と画像データの送信先の情報を登録するための負荷を軽減可能にした情報処理システムを提供する。【解決手段】抽出判定基準となる被写体の画像である検索対象画像を含む画像データおよび端末識別子の情報を第２の端末装置に送信する第１の端末装置と、１以上の画像データを予め保持し、検索対象画像を含む画像データおよび端末識別子の情報を第１の端末装置から受信すると、検索対象画像を含む画像データを１以上の画像データから抽出し、抽出した画像データを端末識別子で特定される装置に送信する第２の端末装置と、を有する。【選択図】図１
2013069036.tif 000002
【特許請求の範囲】
【請求項１】
抽出判定基準となる被写体の画像である検索対象画像を含む画像データおよび端末識別子の情報を第２の端末装置に送信する第１の端末装置と、
１以上の画像データを予め保持し、前記検索対象画像を含む画像データおよび前記端末識別子の情報を前記第１の端末装置から受信すると、該検索対象画像を含む画像データを前記１以上の画像データから抽出し、抽出した画像データを前記端末識別子で特定される装置に送信する前記第２の端末装置と、
を有する情報処理システム。
【請求項２】
抽出判定基準となる被写体の画像である検索対象画像を含む画像データを保持する保持手段と、
前記画像データを第１の携帯端末に送信する送信手段と、
前記送信手段を介して前記第１の携帯端末に対して、前記検索対象画像を含む画像データを自装置とは異なる第２の携帯端末に送信することを指示する指示手段と、
を有する端末装置。
【請求項３】
１以上の画像データを保持する保持手段と、
所定の被写体の画像である検索対象画像を含む画像データおよび端末識別子の情報を端末装置から受信すると、該検索対象画像を含む画像データを前記１以上の画像データから抽出する検索手段と、
前記検索手段が抽出した画像データを前記端末識別子で特定される装置に送信する送信手段と、
を有する携帯端末。
【請求項４】
請求項３記載の携帯端末において、
前記１以上の画像データを表示するための表示手段をさらに有し、
前記検索手段は、
前記検索対象画像を含む画像データを前記１以上の画像データから抽出する際、抽出した画像データ毎に該画像データを縮小したデータであるサムネイル画像データを生成し、生成したサムネイル画像データの画像を前記表示手段に表示させ、ユーザによってサムネイル画像データが選択されると、選択されたサムネイル画像データに対応する前記画像データを、前記抽出した画像データとして前記送信手段に渡す、携帯端末。
【請求項５】
携帯端末が実行する情報処理方法であって、
１以上の画像データを保存し、
抽出判定基準となる被写体の画像である検索対象画像を含む画像データおよび端末識別子の情報を端末装置から受信すると、該検索対象画像を含む画像データを前記１以上の画像データから抽出し、
前記抽出した画像データを前記端末識別子で特定される装置に送信する、情報処理方法。
【請求項６】
コンピュータに、
１以上の画像データを保存する手順と、
抽出判定基準となる被写体の画像である検索対象画像を含む画像データおよび端末識別子の情報を端末装置から受信すると、該検索対象画像を含む画像データを前記１以上の画像データから抽出する手順と、
前記抽出した画像データを前記端末識別子で特定される装置に送信する手順と、を実行させるプログラム。
【発明の詳細な説明】
【技術分野】
【０００１】
本発明は、情報処理システム、端末装置、携帯端末、情報処理方法、および、コンピュータに実行させるためのプログラムに関する。
【背景技術】
【０００２】
近年、スマートフォンを含む携帯電話機には、標準装備でカメラ機能が搭載されているものが多い。ユーザはお互いに自分の携帯電話機を使って相手の写真を撮った後、携帯電話機を操作して、写真の画像データを添付した電子メールを相手の携帯電話機に送信し、お互いに写真をやり取りすることが頻繁に行われるようになった。
【０００３】
複数の人を撮影する際、被写体のメンバーを変えて複数枚撮影した場合、写真毎に写っているメンバーが異なることになる。この場合、撮影者は、どの写真を誰に送ればよいのか、メンバー毎に写真を選ぶのに非常に手間がかかってしまうことになる。この問題を解決にした電子メール作成装置の一例が特許文献１に開示されている。
【０００４】
特許文献１に開示された電子メール作成装置は、被写体となるメンバーに対応して、被写体画像および電子メールアドレスが予めアドレス帳メモリに格納され、複数の被写体を含む集合画像において、アドレス帳メモリに登録された被写体画像に一致する被写体を認識すると、被写体画像に対応する電子メールアドレス宛に集合画像を送信する。
【先行技術文献】
【特許文献】
【０００５】
【特許文献１】特開２００５−２６７１４６号公報
【発明の概要】
【発明が解決しようとする課題】
【０００６】
特許文献１に開示された方法では、ユーザは、被写体となる各メンバーの被写体画像と電子メールアドレスを電子メール作成装置に予め登録しておく必要があり、各メンバーの被写体画像と電子メールアドレスを登録する手間がかかってしまう問題がある。
【０００７】
本発明は上述したような技術が有する問題点を解決するためになされたものであり、画像データの抽出基準となる画像と画像データの送信先の情報を登録するための負荷を軽減可能にした情報処理システム、端末装置、携帯端末、情報処理方法およびプログラムを提供することを目的とする。
【課題を解決するための手段】
【０００８】
上記目的を達成するための本発明の情報処理システムは、
抽出判定基準となる被写体の画像である検索対象画像を含む画像データおよび端末識別子の情報を第２の端末装置に送信する第１の端末装置と、
１以上の画像データを予め保持し、前記検索対象画像を含む画像データを前記第１の端末装置から受信すると、該検索対象画像を含む画像データを前記１以上の画像データから抽出し、抽出した画像データを前記端末識別子で特定される装置に送信する前記第２の端末装置と、
を有する構成である。
【０００９】
また、本発明の端末装置は、
抽出判定基準となる被写体の画像である検索対象画像を含む画像データを保持する保持手段と、
前記画像データを第１の携帯端末に送信する送信手段と、
前記送信手段を介して前記第１の携帯端末に対して、前記検索対象画像を含む画像データを自装置とは異なる第２の携帯端末に送信することを指示する指示手段と、
を有する構成である。
【００１０】
また、本発明の携帯端末は、
１以上の画像データを保持する保持手段と、
所定の被写体の画像である検索対象画像を含む画像データおよび端末識別子の情報を端末装置から受信すると、該検索対象画像を含む画像データを前記１以上の画像データから抽出する検索手段と、
前記検索手段が抽出した画像データを前記端末識別子で特定される装置に送信する送信手段と、
を有する構成である。
【００１１】
また、本発明の情報処理方法は、携帯端末が実行する情報処理方法であって、
１以上の画像データを保存し、
抽出判定基準となる被写体の画像である検索対象画像を含む画像データおよび端末識別子の情報を端末装置から受信すると、該検索対象画像を含む画像データを前記１以上の画像データから抽出し、
前記抽出した画像データを前記端末識別子で特定される装置に送信するものである。
【００１２】
さらに、本発明のプログラムは、コンピュータに、
１以上の画像データを保存する手順と、
抽出判定基準となる被写体の画像である検索対象画像を含む画像データおよび端末識別子の情報を端末装置から受信すると、該検索対象画像を含む画像データを前記１以上の画像データから抽出する手順と、
前記抽出した画像データを前記端末識別子で特定される装置に送信する手順と、を実行させるものである。
【発明の効果】
【００１３】
本発明によれば、ユーザは、写真を送る相手の顔の画像や画像データの送信先の情報の登録を端末装置を操作して行う必要がなく、登録のための操作の手間が省ける。
【図面の簡単な説明】
【００１４】
【図１】本発明の一実施形態の情報処理システムの一構成例を示すブロック図である。
【図２】図１に示す第１の端末装置の一構成例を示すブロック図である。
【図３】図１に示す第２の端末装置の一構成例を示すブロック図である。
【図４】第２の端末装置の動作手順を説明するためのフローチャートである。
【図５】本実施形態の情報処理システムの構成を説明するためのブロック図である。
【図６】図５に示した腕時計の一構成例を示すブロック図である。
【図７】図５に示した腕時計の一例を示す外観図である。
【図８】図５に示した携帯電話機の一構成例を示すブロック図である。
【図９】図６に示した腕時計の動作手順を示すフローチャートである。
【図１０】図７に示した携帯電話機の動作手順を示すフローチャートである。
【発明を実施するための形態】
【００１５】
本発明の一実施形態の情報処理システムの構成を説明する。
【００１６】
図１は本発明の一実施形態の情報処理システムの一構成例を示すブロック図である。図２は図１に示す第１の端末装置の一構成例を示すブロック図であり、図３は図１に示す第２の端末装置の一構成例を示すブロック図である。
【００１７】
図１に示すように、情報処理システムは、第１の端末装置１０と、第２の端末装置４０とを有する。第１の端末装置１０は、抽出判定基準となる被写体の画像である検索対象画像を含む画像データを保持する保持手段５１と、検索対象画像を含む画像データを第２の端末装置４０に送信する送信手段５２と、送信手段５２を介して第２の端末装置４０に対して、検索対象画像を含む画像データを自装置とは異なる携帯端末（不図示）に送信することを指示する指示手段５３とを有する。
【００１８】
第２の端末装置４０は、１以上の画像データを保持する保持手段４１と、検索対象画像を含む画像データと端末識別子の情報を第１の端末装置１０から受信すると、検索対象画像を含む画像データを１以上の画像データから抽出する検索手段４２と、検索手段４２が抽出した画像データを上記の端末識別子で特定される携帯端末（不図示）に送信する送信手段４３とを有する。
【００１９】
次に、図３に示す第２の端末装置４０が実行する情報処理方法について説明する。図４は第２の端末装置の動作手順を説明するためのフローチャートである。
【００２０】
図４に示すように、保持手段４１が１以上の画像データを予め保存する（ステップ１０１）。検索手段４２は、検索対象画像を含む画像データおよび端末識別子の情報を第１の端末装置１０から受信すると、受信した画像データと端末識別子を保持手段５１に登録し、検索対象画像に一致する画像を含む画像データを保持手段に格納された１以上の画像データから抽出する（ステップ１０２）。続いて、送信手段４３は、ステップ１０２で抽出された画像データを、受信した端末識別子で特定される装置に送信する（ステップ１０３）。
【００２１】
上述した情報処理方法によれば、第２の端末装置４０のユーザが自分の端末装置を操作しなくても、検索対象画像と検索対象画像を含む画像データの送信先を示す情報とが第１の端末装置１０から第２の端末装置４０に簡単に登録されるので、ユーザは第２の端末装置４０を操作して検索対象画像および画像データの送信先の情報を登録する手間が省ける。
【００２２】
また、第１の端末装置１０と画像データの送信先となる携帯端末とにおいて、携帯端末に比べて第１の端末装置１０のデータ通信速度が遅い場合や第１の端末装置１０が画像データのような大容量のデータを保存するだけのメモリ容量がない場合などに特に有効である。
【００２３】
以下の実施形態では、本発明の第２の端末装置が、スマートフォンを含む携帯電話機の場合で説明するが、携帯電話機に限らず、ＰＤＡ（Personal Digital Assistant）、電子ブック、および携帯型ゲーム機を含む携帯端末であってもよい。また、本発明の第２の端末装置は、デスクトップ型のパーソナルコンピュータ（以下では、ＰＣと表記する）、または、ノート型ＰＣであってもよい。以下に説明する実施形態では、本発明の第１の端末装置が腕時計の場合で説明するが、腕時計に限らず、指輪およびブレスレットであってもよく、携帯電話機を含む携帯端末であってもよい。
【００２４】
本実施形態の情報処理システムの構成を説明する。図５は本実施形態の情報処理システムの構成を説明するためのブロック図である。
【００２５】
図５に示すように、情報処理システムは、腕時計１１と、携帯電話機２０とを有する。携帯電話機２０はネットワーク６０を介して携帯電話機４５と接続される。本実施形態では、ユーザＡが図５に示す破線で囲んだ腕時計１１および携帯電話機４５を使用し、ユーザＢが携帯電話機２０を使用するものとする。ネットワーク６０は、例えば、インターネットである。
【００２６】
図６は図５に示した腕時計の一構成例を示すブロック図であり、図７は図５に示した腕時計の一例を示す外観図である。図６に示すように、腕時計１１は、プログラムを記憶するＲＯＭ（Read Only Memory）１４、作業用メモリ１５および画像用メモリ１６を含む保持手段と、ＣＰＵ（Central Processing Unit）１２と、操作／表示部１７と、送受信部１８と、カメラ部１９とを有する。各部はバス１３を介して通信可能に接続されている。
【００２７】
図８は図５に示した携帯電話機の一構成例を示すブロック図である。図８に示すように、携帯電話機２０は、プログラムを記憶するＲＯＭ２３、作業用メモリ２４、画像用メモリ２５、アドレス帳用メモリ２６およびアドレス帳画像用メモリ２７を含む保持手段と、ＣＰＵ２１と、操作／表示部２８と、送受信部２９と、カメラ部３０とを有する。各部はバス２２を介して通信可能に接続されている。
【００２８】
次に、腕時計１１の構成を、図６および図７を参照して詳しく説明する。本実施形態では、本発明の情報処理方法に関連する構成について詳しく説明し、時刻を計測する機能および時刻を表示する機能についての詳細な説明を省略する。
【００２９】
送受信部１８は、Ｂｌｕｅｔｏｏｔｈ（登録商標）およびＢＬＥ（Bluetooth(登録商標) Low Energy）などの通信規格にしたがって近距離無線通信を行うことで、携帯電話機２０とデータの送受信を行う。送受信部１８は、通信圏内に通信可能な機器があることを検出すると、通信可能な機器の端末識別子をその機器から取得し、取得した端末識別子の情報をＣＰＵ１２に送信する。
【００３０】
カメラ部１９は、図７に示すレンズ５５と、撮像素子（不図示）とを有する。カメラ部１９は、ＣＰＵ１２から起動の指示があると、レンズを介して撮像素子に取り込まれた画像を電気信号に変換し、変換後のデータである画像データをＣＰＵ１２に送信する。
【００３１】
画像用メモリ１６には、カメラ部１９で撮影される写真の画像データが格納される。本実施形態では、ユーザＡの顔の画像が検索対象画像に相当し、検索対象画像を含む画像データが画像用メモリ１６に格納される。本実施形態において、ユーザＡの顔の画像を検索対象画像とするのは、携帯電話機２０に保存されている１以上の画像データからユーザＡの顔が写っている画像の画像データを抽出する際の判定基準となる画像だからである。
【００３２】
作業用メモリ１５は、例えば、フラッシュメモリである。作業用メモリ１５には、携帯電話機２０に保存された画像データの送信先として、ユーザＡが指定した携帯電話機４５の端末識別子の情報が格納される。端末識別子は、携帯電話機４５の電子メールアドレスであってもよい。また、本実施形態では、送受信部１８を介して通信可能な装置の端末識別子とその端末識別子で特定される装置のユーザ名とが組になって記述されたリストが予め作業用メモリ１５に登録されているものとする。
【００３３】
本実施形態では、ユーザＡが画像データの送信先に指定したい携帯電話機４５の端末識別子を、ユーザＢに携帯電話機２０を操作して登録してもらわなくてもよい方法を中心に説明しており、その場合、ユーザＡは操作／表示部１７を操作して作業用メモリ１５に予めその端末識別子を登録しておく。ただし、ユーザＡは、画像データの送信先の情報が携帯電話機２０のアドレス帳に既に登録されているものでよい場合もあり得る。この場合、ユーザＡは作業用メモリ１５に端末識別子を登録しておく必要はない。以下では、本実施形態の情報処理システムが、ユーザＡの写っている写真の画像データの送信先が携帯電話機２０のアドレス帳に既に登録されているものでよい場合にも対応可能であることを説明する。
【００３４】
操作／表示部１７は、図７に示すタッチパネル５６およびボタン５７を有する。タッチパネル５６は、ユーザが指示を入力するための操作部と、時刻および画像などを表示するための表示部のそれぞれの機能を備えた構成である。
【００３５】
ＣＰＵ１２がＲＯＭ１４に格納されたプログラムにしたがって処理を実行することで、図２に示した指示手段が腕時計１１に仮想的に構成される。プログラムにしたがってＣＰＵ１２は、以下のように動作する。
【００３６】
ＣＰＵ１２は、ユーザが図７に示すボタン５７を押すと、カメラ部１９を起動し、カメラ部１９から受信する画像データを画像用メモリ１６に格納する。また、ＣＰＵ１２は、送受信部１８から端末識別子の情報を受信すると、作業用メモリ１５に予め登録されたリストを参照し、受信した端末識別子に一致するものがあるかを調べ、一致する端末識別子があると、端末識別子に対応して登録されているユーザ名をタッチパネル５６に表示させる。そして、ＣＰＵ１２は、ユーザ名が選択されると、選択されたユーザ名に対応する端末識別子の装置宛に、画像用メモリ１６に格納されている画像データを送受信部１８を介して送信する。その際、作業用メモリ１５に端末識別子が保存されていれば、ＣＰＵ１２は、選択されたユーザ名に対応する端末識別子の装置宛に、作業用メモリ１５に保存された端末識別子を画像データとともに送受信部１８を介して送信する。
【００３７】
なお、ユーザＡが自分の顔の画像を登録する方法として、ボタン５７を押すことで、自分の顔を撮影させる場合で説明したが、ユーザＡの顔の撮影方法は、この方法に限られない。例えば、姿勢を検知する加速度センサを腕時計１１に予め設け、ユーザＡが時刻を見る動作を行うとユーザＡの顔を撮影するようにしてもよい。この場合の具体例を説明する。ユーザＡがいずれか一方の腕の手首に腕時計１１を装着し、腕を地面の方向に伸ばした状態から、肘を曲げてタッチパネル５６が上向きになるように腕時計１１を自分の胸の前に位置させると、加速度センサが姿勢変化を検出した旨の信号をＣＰＵ１２に送信し、ＣＰＵ１２は、加速度センサから信号を受信すると、カメラ部１９を起動させる。この場合、ユーザＡは自分で撮影操作をしなくても、検索対象画像を登録することができる。
【００３８】
また、ユーザＡが時刻を見る動作を行うとユーザＡの顔を撮影する方法において、画像データが画像用メモリ１６に登録されている場合、ＣＰＵ１２は、加速度センサから信号を受信しても、カメラ部１９を起動させないようにしてもよい。さらに、この方法において、画像データが画像用メモリ１６に登録されている場合、ＣＰＵ１２は、加速度センサから信号を受信すると、カメラ部１９に撮影を実行させ、新たに撮影された写真の画像と新たに撮影された写真に変更するか否かを尋ねるメッセージを、タッチパネル５６に表示してもよい。
【００３９】
次に、携帯電話機２０の構成を、図８を参照して詳しく説明する。本実施形態では、本発明の情報処理方法に関連する構成について詳しく説明し、電子メールの送受信機能および電話機能についての詳細な説明を省略する。
【００４０】
送受信部２９は、ネットワーク通信部および近距離無線通信部を有する。送受信部２９のネットワーク通信部は、ネットワーク６０に設けられた基地局（不図示）と無線通信で接続し、ネットワーク６０を介してデータを携帯電話機４５と送受信する。本実施形態では、送受信部２９のネットワーク通信部の通信規格がＴＣＰ（Transmission Control Protocol）／ＩＰ（Internet Protocol）の場合で説明するが、他の通信規格であってもよい。送受信部２９の近距離無線通信部は、腕時計１１の送受信部１８と同じ通信規格で通信処理を行い、送受信部１８とデータを送受信する。
【００４１】
アドレス帳用メモリ２６には、氏名と電子メールアドレスの情報が組になって記述されたアドレス帳が予め格納されている。アドレス帳画像用メモリ２７には、アドレス帳の氏名に紐付されて、その氏名の人の顔の画像を含む画像データが登録されている。
【００４２】
カメラ部３０は、レンズ（不図示）および撮像素子（不図示）を有する。カメラ部３０は、ＣＰＵ２１から起動の指示があると、レンズを介して撮像素子に取り込まれた画像を電気信号に変換し、変換後のデータである画像データをＣＰＵ２１に送信する。ＣＰＵ２１に送信された画像データは、画像用メモリ２５に格納される。
【００４３】
画像用メモリ２５は、カメラ部３０で撮影された写真の画像データが格納されている。作業用メモリ２４には、腕時計１１から受信する画像データが格納される。操作／表示部２８は、ユーザが指示を入力するための操作部と、画像などを表示するための表示部のそれぞれの機能を備えた構成である。操作／表示部２８は、例えば、タッチパネルである。
【００４４】
ＣＰＵ２１がＲＯＭ２３に格納されたプログラムにしたがって処理を実行することで、図３に示した検索手段が携帯電話機２０に仮想的に構成される。プログラムにしたがってＣＰＵ２１が、以下のように動作する。
【００４５】
ＣＰＵ２１は、腕時計１１から受信する、画像データおよび端末識別子の情報、または画像データを作業用メモリ２４に格納し、画像用メモリ２５に格納された画像データの中に、作業用メモリ２４に格納された画像データの検索対象画像に一致する画像があるか否かを判定する。検索対象画像に一致する画像が画像データにあるか否かの判定方法については、その一例が特許文献１に開示されている。本実施形態においては、その判定方法に特許文献１に開示された方法を適用するものとし、ここではその詳細な説明を省略する。
【００４６】
また、ＣＰＵ２１は、画像用メモリ２５に格納された画像データから、検索対象画像を含む画像データを抽出すると、画像データの宛先を設定して送信する。画像データの宛先は、後述するフローにしたがって、作業用メモリ２４に端末識別子が保存されていればその端末識別子に設定され、作業用メモリ２４に端末識別子が登録されていなければ、アドレス帳に登録された電子メールアドレス、または、ユーザＢが入力する電子メールアドレスに設定される。
【００４７】
なお、ＣＰＵ２１は、抽出した画像データを全て送信対象にしなくてもよい。例えば、ＣＰＵ２１は、抽出した画像データのそれぞれについて、画像データを縮小したデータであるサムネイル画像データを生成し、サムネイル画像データに対応するサムネイル画像を操作／表示部２８に表示させ、ユーザＢの操作によって選択されたサムネイル画像に対応する、元の画像データを送信対象にしてもよい。
【００４８】
次に、図６に示した腕時計１１の動作を説明する。図９は図６に示した腕時計の動作手順を示すフローチャートである。
【００４９】
腕時計１１は、画像用メモリ１６に画像データが保存されているか否かを調べ（ステップ２０１）、画像データが保存されていない場合、画像データが保存されていない旨のメッセージをタッチパネル５６に表示する（ステップ２０２）。ユーザＡは時刻を確認する際など、タッチパネル５６を見て、そのメッセージ気がつくと、レンズ５５に顔を向けた状態でボタン５７を押す。腕時計１１は、ボタン５７が押されると、カメラ部１９を起動し、カメラ部１９から受信する画像データを画像用メモリ１６に格納する（ステップ２０３）。
【００５０】
ステップ２０３で画像データが画像用メモリ１６に保存されると、または、ステップ２０１の判定で画像用メモリ１６に画像データが保存されていると、腕時計１１は、送受信部１８の通信圏内に通信可能な機器があるか否かを調べる（ステップ２０４）。通信圏内に通信可能な機器があると、腕時計１１は、通信可能な機器のユーザ名をタッチパネル５６に表示する（ステップ２０５）。ユーザＡがタッチパネル５６を操作してユーザ名を選択すると（ステップ２０６）、腕時計１１は、選択されたユーザ名に対応する機器を特定し、作業用メモリ１５に端末識別子が保存されているか調べる（ステップ２０７）。
【００５１】
作業用メモリ１５に端末識別子が保存されている場合、腕時計１１は、特定した機器宛に、画像用メモリ１６に保存されている画像データと作業用メモリ１５に保存されている端末識別子の情報を送受信部１８を介して送信する（ステップ２０８）。作業用メモリ１５に端末識別子が保存されていない場合、腕時計１１は、特定した機器宛に、画像用メモリ１６に保存されている画像データを送受信部１８を介して送信する（ステップ２０９）。以下では、作業用メモリ１５に保存される端末識別子は携帯電話機４５の端末識別子である場合で説明する。
【００５２】
なお、上述した、姿勢を検知する加速度センサが腕時計１１に予め設けられている場合、図９に示すステップ２０２および２０３は次のような処理になる。ＣＰＵ１２は、ステップ２０２でメッセージを表示する代わりにアラームを鳴らし、ユーザＡがタッチパネル５６を見る動作を行うことで、加速度センサから信号を受信すると、ステップ２０３で、カメラ部１９を起動してユーザＡの顔の画像を含む画像データをカメラ部１９から取得し、取得した画像データを画像用メモリ１６に保存する。
【００５３】
次に、図８に示した携帯電話機２０の動作を説明する。図１０は図７に示した携帯電話機の動作手順を示すフローチャートである。ここでは、携帯電話機２０は、カメラ部３０で撮影した写真の画像データを予め画像用メモリ２５に保存しているものとする。
【００５４】
携帯電話機２０は、図９に示すステップ２０８に対応して、画像データおよび端末識別子の情報を腕時計１１から受信すると、受信した画像データおよび端末識別子の情報を作業用メモリ２４に格納する。または、携帯電話機２０は、図９に示すステップ２０９に対応して、画像データを腕時計１１から受信すると、受信した画像データを作業用メモリ２４に格納する。
【００５５】
作業用メモリ２４に画像データが保存されると（ステップ３０１）、携帯電話機２０は、作業用メモリ２４に格納された画像データの画像から検索対象画像を認識し、検索対象画像をキーとして、画像用メモリ２５内の画像データをサーチする（ステップ３０２）。そして、携帯電話機２０は、検索対象画像に一致する画像を含む画像データを抽出し、抽出した画像データのそれぞれについてサムネイル画像データを生成する。続いて、携帯電話機２０は、生成したサムネイル画像データのサムネイル画像を操作／表示部２８に表示する（ステップ３０３）。
【００５６】
ユーザＢが操作／表示部２８を操作して、表示されたサムネイル画像から選択する旨の指示を入力すると、携帯電話機２０は、選択されたサムネイル画像に対応する画像データを送信対象の画像データとして確定する（ステップ３０４）。
【００５７】
続いて、携帯電話機２０は、作業用メモリ１５に端末識別子が保存されているか否かを調べる（ステップ３０５）。ステップ３０５で、作業用メモリ１５に端末識別子が保存されている場合、携帯電話機２０は、ステップ３０４で確定した画像データの宛先を、端末識別子に設定する（ステップ３０６）。ステップ３０５において、作業用メモリ１５に端末識別子が保存されていない場合、携帯電話機２０は、アドレス帳画像用メモリ２７内に検索対象画像を含む画像データがあるか否かを調べる（ステップ３０７）。アドレス帳画像用メモリ２７に該当する画像データがある場合、携帯電話機２０は、その画像データに紐付された氏名と同じ組に登録されている電子メールアドレスを読み出し、その電子メールアドレスを画像データの宛先に設定する（ステップ３０８）。
【００５８】
一方、ステップ３０７において、アドレス帳画像用メモリ２７に検索対象画像を含む画像データがない場合、携帯電話機２０は、電子メールアドレスの入力画面を操作／表示部２８に表示する（ステップ３０９）。ユーザＢが操作／表示部２８を操作して電子メールアドレスを入力すると、携帯電話機２０は、入力された電子メールアドレスを画像データの宛先に設定する（ステップ３１０）。ユーザＢが操作／表示部２８に表示された宛先の情報が正しいことを確認し、操作／表示部２８に表示された送信ボタンを選択すると、携帯電話機２０は、画像データを設定された宛先にネットワーク６０を介して送信する（ステップ３１１）。
【００５９】
ステップ３０２において、検索対象画像に一致する画像を含む画像データが画像用メモリ２５に保存されていない場合、携帯電話機２０は、検出できない旨のメッセージを操作／表示部２８に表示して処理を終了する（ステップ３１２）。
【００６０】
ユーザＡは、自分の写っている写真の画像データの送信先の情報をユーザＢに予め通知していなければ、図９に示したステップ２０８の処理を腕時計１１に実行させ、図１０に示したステップ３０６の処理を携帯電話機２０に実行させればよい。また、ユーザＡは、画像データの送信先の情報が携帯電話機２０のアドレス帳に予め登録されていても、画像データの送信先を変更したい場合、新たな送信先を示す端末識別子の情報を作業用メモリ１５に保存し、図９に示したステップ２０８の処理を腕時計１１に実行させ、図１０に示したステップ３０６の処理を携帯電話機２０に実行させることで、画像データの送信先を変更することができる。
【００６１】
なお、図１０のステップ３０３で携帯電話機２０が生成したサムネイル画像データを腕時計１１に送信するようにしてもよい。腕時計１１は、サムネイル画像をタッチパネル５６に表示し、ユーザＡがタッチパネル５６を操作してサムネイル画像を選択すると、腕時計１１は選択されたサムネイル画像の情報を携帯電話機２０に送信する。携帯電話機２０は、選択されたサムネイル画像の情報を腕時計１１から受信すると、ステップ３０４の処理を行う。この場合、ユーザＡが自分で欲しい写真を選択することが可能となる。
【００６２】
また、図１０のフローに示すステップ３０３および３０４の処理を省略し、携帯電話機２０は、抽出した画像データの全てを送信対象としてもよい。
【００６３】
本実施形態によれば、ユーザＢはユーザＡの顔の画像と画像データの送信先の情報を予め携帯電話機２０を操作して登録しなくても、ユーザＡが写っている写真の画像をユーザＡが指定した携帯電話機４５に送ることが可能となる。ユーザＢは、写真を送る相手の顔の画像や画像データの送信先の情報の登録を携帯電話機２０を操作して行う必要がなく、登録のための操作の手間が省ける。また、ユーザＢは、ユーザＡの顔の画像と画像データの送信先を登録する手間が省けるだけでなく、画像用メモリ２５に保存された画像データからユーザＡが写っている画像データを抽出する、煩わしい検索操作も不要となる。
【００６４】
また、ユーザＡが使用する腕時計１１が携帯電話機４５に比べてデータ通信速度が遅い場合や画像データのような大容量のデータを保存するだけのメモリ容量がない場合などに、本実施形態の情報処理方法は有効である。
【００６５】
なお、本発明の情報処理方法をコンピュータに実行可能に記述したプログラムを、ネットワークを介してコンピュータに提供してもよい。
【符号の説明】
【００６６】
１０    第１の端末装置
１１    腕時計
１２、２１    ＣＰＵ
１６    画像用メモリ
１８、２９    送受信部
２０    携帯電話機
２５    画像用メモリ
２６    アドレス帳用メモリ
２７    アドレス帳画像用メモリ
４０    第２の端末装置
４１、５１    保持手段
４２    検索手段
４３、５２    送信手段
５３    指示手段
【図１】
2013069036.tif 000003
【図２】
2013069036.tif 000004
【図３】
2013069036.tif 000005
【図４】
2013069036.tif 000006
【図５】
2013069036.tif 000007
【図６】
2013069036.tif 000008
【図７】
2013069036.tif 000009
【図８】
2013069036.tif 000010
【図９】
2013069036.tif 000011
【図１０】
2013069036.tif 000012